【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレス通信デバイスにより、複数のパイロットシンボルの時間領域パラメータに関する構成を受信するステップと、
前記ワイヤレス通信デバイスにより、前記構成に従って、第1のリソース要素において第1のパイロットシンボル、および前記第1のリソース要素の後の第2のリソース要素において第2のパイロットシンボルを受信するステップであって、前記第2のパイロットシンボルが前記第1のパイロットシンボルに対して第1の時間間隔を有し、前記第1および第2のパイロットシンボルがパイロットシンボルの第1のペアを備える、ステップと、
前記ワイヤレス通信デバイスにより、前記構成に従って、前記第2のリソース要素の後の第3のリソース要素において第3のパイロットシンボルを受信するステップであって、前記第3のパイロットシンボルが前記第2のパイロットシンボルに対して第2の時間間隔を有し、前記第2の時間間隔が前記第1の時間間隔より大きい、ステップと、
前記ワイヤレス通信デバイスにより、前記第1のパイロットシンボル、前記第2のパイロットシンボル、および前記第3のパイロットシンボルに基づいて周波数トラッキングを実行するステップと、
を備える方法。
【請求項２】
前記ワイヤレス通信デバイスにより、前記第3のリソース要素の後の第4のリソース要素において第4のパイロットシンボルを受信するステップであって、前記第4のパイロットシンボルが前記第3のパイロットシンボルに対して第3の時間間隔を有する、ステップをさらに備え、
前記第3の時間間隔が前記第1の時間間隔に等しく、前記第3および第4のパイロットシンボルがパイロットシンボルの前記第1のペアの後にパイロットシンボルの第2のペアを備える、請求項1に記載の方法。
【請求項３】
前記実行するステップが、
前記ワイヤレス通信デバイスにより、前記第3のパイロットシンボルと前記第2のパイロットシンボルの間の前記第2の時間間隔に基づいて周波数誤差の細かい分解能の推定値を決定するステップをさらに備え、
前記周波数トラッキングを実行することが前記細かい分解能の推定値に基づく、請求項1に記載の方法。
【請求項４】
前記ワイヤレス通信デバイスにより、前記第2のパイロットシンボルと前記第1のパイロットシンボルの間の前記第1の時間間隔に基づいて前記細かい分解能の推定値を逆エイリアス化するステップをさらに備え、
前記周波数トラッキングを実行することが前記逆エイリアス化された細かい分解能の推定値に基づく、請求項3に記載の方法。
【請求項５】
前記第1および第2のパイロットシンボルが第1のカバーコードを用いて拡散され、前記第3のパイロットシンボルが前記第1のカバーコードに時間および周波数領域内で直交する第2のカバーコードを用いて拡散される、請求項1に記載の方法。
【請求項６】
前記ワイヤレス通信デバイスにより、時間領域内でパイロットシンボルの前記第1のペアおよび前記第3のパイロットシンボルを逆拡散して、前記時間領域内のパイロット観測値と前記周波数領域内の稠密なパイロット拡散とを復元するステップと、
前記ワイヤレス通信デバイスにより、前記時間領域内の前記パイロット観測値と前記周波数領域内の前記稠密なパイロット拡散とに基づいて時間周波数領域の結合チャネル推定値を決定するステップと、
をさらに備える、請求項5に記載の方法。
【請求項７】
前記ワイヤレス通信デバイスにより、周波数誤差の推定値の細かい分解能の確度を改善するために、第2の間隔の変更を要求するステップをさらに備える、請求項1に記載の方法。
【請求項８】
ワイヤレス通信デバイスであって、
複数のパイロットシンボルの時間領域パラメータに関する構成を受信し、
前記構成に従って、第1のリソース要素において第1のパイロットシンボル、および前記第1のリソース要素の後の第2のリソース要素において第2のパイロットシンボルを受信するように構成されたトランシーバであって、前記第2のパイロットシンボルが前記第1のパイロットシンボルに対して第1の時間間隔を有し、前記第1および第2のパイロットシンボルがパイロットシンボルの第1のペアを備え、
前記トランシーバが、前記構成に従って、前記第2のリソース要素の後の第3のリソース要素において第3のパイロットシンボルを受信するようにさらに構成され、前記第3のパイロットシンボルが前記第2のパイロットシンボルに対して第2の時間間隔を有し、前記第2の時間間隔が前記第1の時間間隔より大きい、トランシーバと、
前記第1のパイロットシンボル、前記第2のパイロットシンボル、および前記第3のパイロットシンボルに基づいて周波数トラッキングを実行するように構成されたプロセッサと、
を備えるワイヤレス通信デバイス。
【請求項９】
前記トランシーバが、前記第3のリソース要素の後の第4のリソース要素において第4のパイロットシンボルを受信するようにさらに構成され、前記第4のパイロットシンボルが前記第3のパイロットシンボルに対して第3の時間間隔を有し、
前記第3の時間間隔が前記第1の時間間隔に等しく、前記第3および第4のパイロットシンボルがパイロットシンボルの前記第1のペアの後にパイロットシンボルの第2のペアを備える、請求項8に記載のワイヤレス通信デバイス。
【請求項１０】
前記プロセッサが、前記実行することの部分として、
前記第3のパイロットシンボルと前記第2のパイロットシンボルの間の前記第2の時間間隔に基づいて周波数誤差の細かい分解能の推定値を決定するようにさらに構成され、
前記周波数トラッキングを実行することが前記細かい分解能の推定値に基づく、請求項8に記載のワイヤレス通信デバイス。
【請求項１１】
前記プロセッサが、前記第2のパイロットシンボルと前記第1のパイロットシンボルの間の前記第1の時間間隔に基づいて前記細かい分解能の推定値を逆エイリアス化するようにさらに構成され、
前記周波数トラッキングを実行することが前記逆エイリアス化された細かい分解能の推定値に基づく、請求項10に記載のワイヤレス通信デバイス。
【請求項１２】
前記第1および第2のパイロットシンボルが第1のカバーコードを用いて拡散され、前記第3のパイロットシンボルが前記第1のカバーコードに時間および周波数領域内で直交する第2のカバーコードを用いて拡散される、請求項8に記載のワイヤレス通信デバイス。
【請求項１３】
前記プロセッサが、時間領域内でパイロットシンボルの前記第1のペアおよび前記第3のパイロットシンボルを逆拡散して、前記時間領域内のパイロット観測値と周波数領域内の稠密なパイロット拡散とを復元し、
前記時間領域内の前記パイロット観測値と前記周波数領域内の前記稠密なパイロット拡散とに基づいて時間周波数領域の結合チャネル推定値を決定するようにさらに構成された、請求項12に記載のワイヤレス通信デバイス。
【請求項１４】
前記プロセッサが、周波数誤差の推定値の細かい分解能の確度を改善するために、第2の間隔の変更を要求するようにさらに構成された、請求項8に記載のワイヤレス通信デバイス。
【請求項１５】
プログラムコードが記録された非一時的コンピュータ可読記録媒体であって、前記プログラムコードが、
ワイヤレス通信デバイスに、複数のパイロットシンボルの時間領域パラメータに関する構成を受信させるためのコードと、
前記ワイヤレス通信デバイスに、前記構成に従って、第1のリソース要素において第1のパイロットシンボル、および前記第1のリソース要素の後の第2のリソース要素において第2のパイロットシンボルを受信させるためのコードであって、前記第2のパイロットシンボルが前記第1のパイロットシンボルに対して第1の時間間隔を有し、前記第1および第2のパイロットシンボルがパイロットシンボルの第1のペアを備える、コードと、
前記ワイヤレス通信デバイスに、前記構成に従って、前記第2のリソース要素の後の第3のリソース要素において第3のパイロットシンボルを受信させるためのコードであって、前記第3のパイロットシンボルが前記第2のパイロットシンボルに対して第2の時間間隔を有し、前記第2の時間間隔が前記第1の時間間隔より大きい、コードと、
前記ワイヤレス通信デバイスに、前記第1のパイロットシンボル、前記第2のパイロットシンボル、および前記第3のパイロットシンボルに基づいて周波数トラッキングを実行させるためのコードと、
を備える、非一時的コンピュータ可読記録媒体。
【請求項１６】
前記プログラムコードが、
前記ワイヤレス通信デバイスに、前記第3のリソース要素の後の第4のリソース要素において第4のパイロットシンボルを受信させるためのコードであって、前記第4のパイロットシンボルが前記第3のパイロットシンボルに対して第3の時間間隔を有する、コードをさらに備え、
前記第3の時間間隔が前記第1の時間間隔に等しく、前記第3および第4のパイロットシンボルがパイロットシンボルの前記第1のペアの後にパイロットシンボルの第2のペアを備える、請求項15に記載の非一時的コンピュータ可読記録媒体。
【請求項１７】
前記実行させるためのコードが、
前記ワイヤレス通信デバイスに、前記第3のパイロットシンボルと前記第2のパイロットシンボルの間の前記第2の時間間隔に基づいて周波数誤差の細かい分解能の推定値を決定させるためのコードをさらに備え、
前記周波数トラッキングを実行することが前記細かい分解能の推定値に基づく、請求項15に記載の非一時的コンピュータ可読記録媒体。
【請求項１８】
前記プログラムコードが、
前記ワイヤレス通信デバイスに、前記第2のパイロットシンボルと前記第1のパイロットシンボルの間の前記第1の時間間隔に基づいて前記細かい分解能の推定値を逆エイリアス化させるためのコードをさらに備え、
前記周波数トラッキングを実行することが前記逆エイリアス化された細かい分解能の推定値に基づく、請求項17に記載の非一時的コンピュータ可読記録媒体。
【請求項１９】
前記第1および第2のパイロットシンボルが第1のカバーコードを用いて拡散され、前記第3のパイロットシンボルが前記第1のカバーコードに時間および周波数領域内で直交する第2のカバーコードを用いて拡散され、前記プログラムコードが、
前記ワイヤレス通信デバイスに、時間領域内でパイロットシンボルの前記第1のペアおよび前記第3のパイロットシンボルを逆拡散させて、前記時間領域内のパイロット観測値と周波数領域内の稠密なパイロット拡散とを復元させるためのコードをさらに備える、請求項15に記載の非一時的コンピュータ可読記録媒体。
【請求項２０】
前記プログラムコードが、
前記ワイヤレス通信デバイスに、周波数誤差の推定値の細かい分解能の確度を改善するために、第2の間隔の変更を要求させるためのコードをさらに備える、請求項15に記載の非一時的コンピュータ可読記録媒体。